(57)【要約】【課題】本発明は、非接触ＩＣタグを利用した情報配信システムにおける、その入会手続が簡単な非接触ＩＣタグの配布方法及び入会手続装置を提供することを目的とする。【解決手段】配布される非接触ＩＣタグ１の会員ＩＤが入会手続装置１０で読み出される。入会手続装置１０によって、この会員ＩＤを記載した電子メールをサーバ５へ送信するように携帯端末装置２が制御される。【選択図】図７
2008251019.tif 000002
【特許請求の範囲】
【請求項１】
携帯端末装置に情報配信を行う情報配信システムで登録会員を管理するための会員ＩＤを記録するとともに前記携帯端末装置に付随させる非接触ＩＣタグと通信を行い、前記会員ＩＤを読み出すリーダと、
前記携帯端末装置に接続されて、前記携帯端末装置と通信を行う通信インターフェースと、
前記リーダによって読み出した前記会員ＩＤを記載した電子メールを生成して、前記情報配信システムにおいて情報配信を行うとともに登録会員の管理を行うサーバに当該電子メールを送信するように、前記携帯端末装置を動作させる制御信号を生成する制御部と、
を備え、
前記リーダによって前記非接触ＩＣタグの会員ＩＤを読み出した後、
前記携帯端末装置が前記通信インターフェースに接続され、前記サーバにおいて当該携帯端末装置の所有者を前記情報配信システムの会員に登録するために、前記携帯端末装置に前記電子メールを前記サーバに送信させるように前記制御信号を前記通信インターフェースから前記携帯端末装置に送信することを特徴とする入会手続装置。
【請求項２】
携帯端末装置に情報配信を行う情報配信システムで登録会員を管理するための会員ＩＤを記録するとともに前記携帯端末装置に付随させる非接触ＩＣタグと通信を行い、前記会員ＩＤを読み出すリーダと、
前記携帯端末装置に接続されて、前記携帯端末装置と通信を行う第１通信インターフェースと、
前記第１通信インターフェースを通じて前記携帯端末装置に割り当てられたメールアドレスを前記携帯端末装置から読み出す制御部と、
前記リーダによって読み出した前記会員ＩＤと、前記第１通信インターフェースを通じて読み出した前記携帯端末装置に割り当てられた前記メールアドレスとを、前記情報配信システムにおいて情報配信を行うとともに登録会員の管理を行うサーバに送信する第２通信インターフェースと、
を備え、
前記リーダによって前記非接触ＩＣタグの会員ＩＤを読み出した後、
前記携帯端末装置が前記第１通信インターフェースに接続され、前記サーバにおいて当該携帯端末装置の所有者を前記情報配信システムの会員に登録するために、前記携帯端末装置に割り当てられた前記メールアドレスを読み出し、
当該メールアドレスと前記非接触ＩＣタグ内に記録された会員ＩＤとを前記サーバに前記第２通信インターフェースから送信することを特徴とする入会手続装置。
【請求項３】
携帯端末装置に情報配信を行う情報配信システムで利用される会員ＩＤを記録した非接触ＩＣタグが無作為に配布され、
前記情報配信システムへの入会希望者によって、前記非接触ＩＣタグが請求項４又は請求項５に記載の入会手続装置の前記リーダに前記非接触ＩＣタグに記録された会員ＩＤが読み出されるよう操作された後、
当該入会手続装置に前記携帯端末装置を接続して、前記サーバに前記携帯端末装置に割り当てられたメールアドレスと読み出された前記非接触ＩＣタグの会員ＩＤを通知して会員登録することを特徴とする非接触ＩＣタグの配布方法。
【請求項４】
携帯端末装置に情報配信を行う情報配信システムで登録会員を管理するための会員ＩＤを記録するとともに前記携帯端末装置に付随させる非接触ＩＣタグを配布する非接触ＩＣタグの配布方法において、
前記会員ＩＤを記録するとともに前記非接触ＩＣタグが付随された状態で前記携帯端末装置が配布され、
前記情報配信システムへの入会が希望されるとき、
前記携帯端末装置に割り当てられるメールアドレスと前記会員ＩＤとが、前記携帯端末装置から、前記情報配信システムにおいて情報配信を行うとともに登録会員の管理を行うサーバに送信され、前記サーバに登録されることを特徴とする非接触ＩＣタグの配布方法。
【発明の詳細な説明】
【技術分野】
【０００１】
本発明は、広告宣伝媒体に関する情報を配信する情報配信システムで利用されるＩＤを記録した非接触ＩＣタグの配布方法及び入会手続装置に関するもので、特に、携帯電話などの携帯端末に情報を送信するための情報配信システムで利用される非接触ＩＣタグの配布方法及び入会手続装置に関する。
【背景技術】
【０００２】
従来の技術として、アクセス先となるＵＲＬ（Ｕｎｉｆｏｒｍ  Ｒｅｓｏｕｒｃｅ  Ｌｏｃａｔｏｒ）を記憶するとともに、携帯電話に接続して自動的に携帯電話を記録したＵＲＬにネットワーク接続させる通信補助装置が提案されている（特許文献１参照）。この通信補助装置によると、通信補助装置を携帯電話に接続すると、通信補助装置内に記録されたＵＲＬを携帯電話に与えるとともに、携帯電話の通信動作を制御して、携帯電話に与えたＵＲＬに自動的にアクセスさせることができる。
【０００３】
又、本出願人は、非接触ＩＣタグに会員のＩＤを記録し、リーダを備えたディスプレイ等の表示物に非接触ＩＣタグを近づけて記録したＩＤをリーダに送信することで、リーダに接続されたサーバがＩＤより会員のメールアドレスを確認し、会員の携帯電話に情報を配信する情報配信システムを提案している（非特許文献１）。この非接触ＩＣタグは、その大きさが小さいため、携帯電話に直接貼り付けたり、ストラップなどに備え付けたりすることができ、特許文献１に示される通信補助装置のように、装置自身の大きさに携帯性が影響されることがない。
【特許文献１】特開２００２−２２３３１１号公報
【非特許文献１】"ディスプレイに携帯電話をかざすだけでコンサートや旅行などの申込が可能に。非接触ＩＣタグを携帯電話に利用した、新情報配信システムを開発。"［ｏｎｌｉｎｅ］２００１年９月１０日、［２００２年９月２６日検索］＜ｈｔｔｐ／／ｗｗｗ．ｄｎｐ．ｃｏ．ｊｐ／ｊｉｓ／ｎｅｗｓ／２００１／２００１０９１０．ｈｔｍｌ＞
【発明の開示】
【発明が解決しようとする課題】
【０００４】
しかしながら、非特許文献１に記載の非接触ＩＣタグを利用した情報配信システムを利用する場合、非接触ＩＣタグ内に記録した会員のＩＤと会員のメールアドレスとを関連づけるために、入会する際に、申込書又はネットワーク上のホームページなどに記入又は入力する必要がある。そのため、上述の情報配信システムを利用するために、このような入会手続を行う必要があり、その手続が会員にとって煩雑なものとなる。
【０００５】
このような問題を鑑みて、本発明は、非接触ＩＣタグを利用した情報配信システムにおける、その入会手続が簡単な非接触ＩＣタグの配布方法及び入会手続装置を提供することを目的とする。
【課題を解決するための手段】
【０００６】
上記目的を達成するために本発明の入会手続装置は、携帯端末装置に情報配信を行う情報配信システムで登録会員を管理するための会員ＩＤを記録するとともに前記携帯端末装置に付随させる非接触ＩＣタグと通信を行い、前記会員ＩＤを読み出すリーダと、前記携帯端末装置に接続されて、前記携帯端末装置と通信を行う通信インターフェースと、前記リーダによって読み出した前記会員ＩＤを記載した電子メールを生成して、前記情報配信システムにおいて情報配信を行うとともに登録会員の管理を行うサーバに当該電子メールを送信するように、前記携帯端末装置を動作させる制御信号を生成する制御部と、を備え、前記リーダによって前記非接触ＩＣタグの会員ＩＤを読み出した後、前記携帯端末装置が前記通信インターフェースに接続され、前記サーバにおいて当該携帯端末装置の所有者を前記情報配信システムの会員に登録するために、前記携帯端末装置に前記電子メールを前記サーバに送信させるように前記制御信号を前記通信インターフェースから前記携帯端末装置に送信することを特徴とする。
【０００７】
この構成によると、非接触ＩＣタグが配布された情報配信システムへの入会希望者によって、非接触ＩＣタグがリーダに近づけられることによって、まず、非接触ＩＣタグの会員ＩＤがリーダによって読み出される。この会員ＩＤは、メモリなどで一時的に格納される。そして、携帯端末装置が通信インターフェースに接続されると、非接触ＩＣタグから読み出された会員ＩＤを記載した電子メールをサーバに送信するように、制御信号を携帯端末装置に送信する。このとき、入会手続装置は、サーバのメールアドレスをメモリに記録し、このメールアドレスを読み出して、制御信号とともに携帯端末装置に送信する。制御信号を受信した携帯端末装置より、サーバへ会員ＩＤを記載した電子メールが送信され、サーバで受信されると、電子メールの送信元となる携帯端末装置に割り当てられたメールアドレスを確認するとともに電子メールに記載された会員ＩＤが確認され、登録が成される。
【０００８】
又、本発明の入会手続装置は、携帯端末装置に情報配信を行う情報配信システムで登録会員を管理するための会員ＩＤを記録するとともに前記携帯端末装置に付随させる非接触ＩＣタグと通信を行い、前記会員ＩＤを読み出すリーダと、前記携帯端末装置に接続されて、前記携帯端末装置と通信を行う第１通信インターフェースと、前記第１通信インターフェースを通じて前記携帯端末装置に割り当てられたメールアドレスを前記携帯端末装置から読み出す制御部と、前記リーダによって読み出した前記会員ＩＤと、前記第１通信インターフェースを通じて読み出した前記携帯端末装置に割り当てられた前記メールアドレスとを、前記情報配信システムにおいて情報配信を行うとともに登録会員の管理を行うサーバに送信する第２通信インターフェースと、を備え、前記リーダによって前記非接触ＩＣタグの会員ＩＤを読み出した後、前記携帯端末装置が前記第１通信インターフェースに接続され、前記サーバにおいて当該携帯端末装置の所有者を前記情報配信システムの会員に登録するために、前記携帯端末装置に割り当てられた前記メールアドレスを読み出し、当該メールアドレスと前記非接触ＩＣタグ内に記録された会員ＩＤとを前記サーバに前記第２通信インターフェースから送信することを特徴とする。
【０００９】
この構成によると、非接触ＩＣタグが配布された情報配信システムへの入会希望者によって、非接触ＩＣタグがリーダに近づけられることによって、まず、非接触ＩＣタグの会員ＩＤがリーダによって読み出される。この会員ＩＤは、メモリなどで一時的に格納される。そして、携帯端末装置が第１通信インターフェースに接続されると、携帯端末装置に割り当てられたメールアドレスが第１通信インターフェースを通じて読み出される。読み出されたメールアドレス及び会員ＩＤが、第２通信インターフェースを通じてサーバへ送信され、サーバで受信されると、携帯端末装置に割り当てられたメールアドレスを確認するとともに非接触ＩＣタグの会員ＩＤが確認され、登録が成される。
【００１０】
又、本発明の非接触ＩＣタグの配布方法は、携帯端末装置に情報配信を行う情報配信システムで利用される会員ＩＤを記録した非接触ＩＣタグが無作為に配布され、前記情報配信システムへの入会希望者によって、前記非接触ＩＣタグが請求項４又は請求項５に記載の入会手続装置の前記リーダに前記非接触ＩＣタグに記録された会員ＩＤが読み出されるよう操作された後、当該入会手続装置に前記携帯端末装置を接続して、前記サーバに前記携帯端末装置に割り当てられたメールアドレスと読み出された前記非接触ＩＣタグの会員ＩＤを通知して会員登録する。
【００１１】
又、本発明の非接触ＩＣタグの配布方法は、携帯端末装置に情報配信を行う情報配信システムで登録会員を管理するための会員ＩＤを記録するとともに前記携帯端末装置に付随させる非接触ＩＣタグを配布する非接触ＩＣタグの配布方法において、前記会員ＩＤを記録するとともに前記非接触ＩＣタグが付随された状態で前記携帯端末装置が配布され、前記情報配信システムへの入会が希望されるとき、前記携帯端末装置に割り当てられるメールアドレスと前記会員ＩＤとが、前記携帯端末装置から、前記情報配信システムにおいて情報配信を行うとともに登録会員の管理を行うサーバに送信され、前記サーバに登録されることを特徴とする。
【発明の効果】
【００１２】
本発明によると、非接触ＩＣタグを配布する際、この非接触ＩＣタグを利用した情報配信システムへの入会希望者が入会登録を行うために、従来のように申込書に記入するなどの煩雑な手続を行うことなく、自動的に入会登録することができる。又、メールアドレスのみを個人情報として利用するため、従来のように申込書に複数の個人情報を記入する必要がなく、入会希望者のプライバシーを保護することができる。
【発明を実施するための最良の形態】
【００１３】
本発明の実施形態について、図面を参照して説明する。まず、以下で説明する各実施形態における非接触ＩＣタグの配布方法を利用して配布された非接触ＩＣタグ、及び、この非接触ＩＣタグを利用した情報配信システムについて説明する。図１は、非接触ＩＣタグの構成を示す図であり、図２は、非接触ＩＣタグを利用した情報配信システムの構成を示すブロック図である。
【００１４】
図１（ａ）に示すように、非接触ＩＣタグ１は、ＩＤなどのデータを記録したＩＣ部１００と、ＩＣ部１００に接続されるとともにＩＣ部１００の周囲を囲むように形成されたアンテナ部１０１とを備える。又、この非接触ＩＣタグ１は、図１（ｂ）に示すように、アンテナ１０１と接続されるとともに信号の変復調を行う変復調部１０２と、アンテナ１０１に同期した信号を整流して電源電圧を生成する整流部１０３と、信号の処理を行うとともに非接触ＩＣタグ１全体の制御を行う制御部１０４と、ＩＤを格納するメモリ１０５とを備える。
【００１５】
又、図２に示す情報配信システムは、図１に示す構成の非接触ＩＣタグ１と、この非接触ＩＣタグ１が付随された携帯電話を含む携帯端末装置２と、非接触ＩＣタグ１と無線通信を行う宣伝広告媒体に備えられたリーダ３と、リーダ３からの情報を処理する端末装置４と、端末装置４とインターネットなどのネットワーク回線網８を通じて通信を行うサーバ５と、非接触ＩＣタグ１毎に会員ＩＤを管理するための会員ＩＤ用データベース６と、端末装置４毎に端末ＩＤを管理するための端末ＩＤ用データベース７とによって構成される。このとき、非接触ＩＣタグ１は、その大きさが小さいので、携帯端末装置２に直接貼り付けられたり、又は、ストラップ形状とすることによって、携帯端末装置２に付随される。
【００１６】
このような情報配信システムにおいて、非接触ＩＣタグ１を宣伝広告媒体に備えられたリーダ３に近づけると、リーダ３の通信可能範囲内に非接触ＩＣタグ１が位置したとき、非接触ＩＣタグ１を検索するためにリーダ３から常に放射されている検索用信号が非接触ＩＣタグ１のアンテナ１０１で受信される。このとき、非接触ＩＣタグ１のアンテナ１０１及び変復調部１０２によって検索用信号に同調すると、整流部１０３によって整流動作が行われる。よって、制御部１０４の認証に必要な回路が動作を行う。
【００１７】
その後、制御部１０４によって認証信号を生成するように変復調部１０２を制御し、アンテナ１０１より認証信号を送信する。この認証信号をリーダ３が受信すると、認証信号より通信許可した非接触ＩＣタグか否か認証し、通信許可した非接触ＩＣタグであると認証すると、非接触ＩＣタグ１への送信信号の電力を大きくし、非接触ＩＣタグ１との通信を許可する。よって、非接触ＩＣタグ１では、電力の大きな信号を受信するため、装置全体を動作させるのに十分な電力を得る。
【００１８】
このようにして非接触ＩＣタグ１とリーダ３とが通信状態になると、非接触ＩＣタグ１のメモリ１０５内に格納された会員ＩＤが制御部１０４によって読み出されて、変復調部１０２で変調された後アンテナ１０１より送信される。リーダ３では、非接触ＩＣタグ１から送信された会員ＩＤを含む信号を受信すると、受信した信号が端末装置４に与えられ会員ＩＤが確認される。このとき、端末装置４は、非接触ＩＣタグ１と通信を行っているリーダ３を認識し、このリーダ３に対する端末ＩＤを読み出す。
【００１９】
端末装置４で確認された会員ＩＤと読み出した端末ＩＤとが、ネットワーク回線網８を通じて、サーバ５に送信される。そして、サーバ５では、会員ＩＤ用データベース６を参照して、受信した会員ＩＤより会員のメールアドレスを確認するとともに、端末ＩＤ用データベース７を参照して、送信するコンテンツ（商品やサービスの紹介などをするためのＷｅｂページ）に対する説明文やＵＲＬなどの誘導情報を確認する。そして、サーバ５によって、確認されたメールアドレスに対して、誘導情報の送信を行う。
【００２０】
よって、この確認されたメールアドレスが携帯端末装置２に対するメールアドレスであり、誘導情報が携帯端末装置２に対してネットワーク回線網８を通じて送信される。そして、携帯端末装置２で誘導情報が受信されると、携帯端末装置２内に格納されるとともに、携帯端末装置２の表示部に表示される。尚、不図示であるが、この誘導情報は、携帯端末装置２に電子メールとして送信されるため、実際は、携帯端末装置２が誘導情報を受信するまで、携帯端末装置２のメールアドレスを管理しているメールサーバにおいて格納されている。
【００２１】
よって、会員は、宣伝広告媒体の内容に関する情報を所望したとき、宣伝広告媒体に備えられたリーダ３に携帯端末装置２に付随させた非接触ＩＣタグ１を近づける。そして、サーバ５で会員ＩＤが受信されると、この会員ＩＤより確認された携帯端末装置２のメールアドレスに対して、誘導情報が記載された電子メールが送信される。
【００２２】
この電子メールによる誘導情報が携帯端末装置２に格納される。この電子メールを表示することによって、電子メールに記載された内容から直接宣伝広告媒体の内容に関する情報を確認することができる。又、誘導情報に宣伝広告媒体の内容に関する情報を記載したＷｅｂページのＵＲＬが含まれるとき、このＵＲＬに携帯端末装置２によってアクセスしてＷｅｂページを表示することで、宣伝広告媒体の内容に関する情報を確認することができる。
【００２３】
このような情報配信システムにおいて利用される非接触ＩＣタグ１の配布方法について、以下の各実施形態で説明する。
【００２４】
＜第１の実施形態＞
本実施形態の非接触ＩＣタグの配布方法について、図面を参照して説明する。図３は、本実施形態における非接触ＩＣタグ配布装置の内部構成を示すブロック図である。又、図４は、本実施形態における非接触ＩＣタグの配布方法を説明するためのブロック図である。尚、図４において、図２の情報配信システムと同一のブロックについては、同一の符号を付す。
【００２５】
図３の非接触ＩＣタグ配布装置９は、携帯端末装置２の通信インターフェース（不図示）と接続されて携帯端末装置２と相互通信を行う通信インターフェース２０１と、非接触ＩＣタグ１に記録された会員ＩＤを読み取るリーダ２０２と、リーダ２０２を介して非接触ＩＣタグ１を搬出口（不図示）まで搬送する搬送部２０３と、装置全体の制御を行う制御部２０４と、サーバ５へ電子メールを送信するためのメールアドレスなどを記録したメモリ２０５と、ディスプレイなどの表示部２０６と、キーボードやタッチパネルなどの入力部２０７を備える。
【００２６】
このような非接触ＩＣタグ配布装置９に対して、上述の情報配信システムへの入会希望者が、図４のように、携帯端末装置２の通信インターフェースを非接触ＩＣタグ配布装置９の通信インターフェース２０１に接続する。そして、制御部２０４において、この通信インターフェース２０１への接続が確認されると、表示部２０６に非接触ＩＣタグ１の配布の可否が表示される。このとき、入会希望者によって非接触ＩＣタグ１の配布を行うように入力部２０７が操作されると、まず、搬送部２０３によって非接触ＩＣタグ１がリーダ２０２に搬送される。
【００２７】
リーダ２０２に搬送された非接触ＩＣタグ１は、リーダ２０２からの信号をアンテナ１０１で受信する。この受信した信号が整流部１０３によって整流されて電力を発生し、非接触ＩＣタグ１内の各ブロックが動作を開始する。又、リーダ２０２より送信される信号は、非接触ＩＣタグ１のメモリ１０５に格納されている会員ＩＤを要求する信号であるため、制御部１０４によって会員ＩＤの要求を確認する。
【００２８】
そして、会員ＩＤの要求を確認すると、メモリ１０５より会員ＩＤが読み出されて、変復調部１０２で変調された後、アンテナ１０１より送信される。リーダ２０２が非接触ＩＣタグ１からの信号を受信すると、制御部２０４において、この信号より会員ＩＤが確認される。そして、メモリ２０５に格納されたサーバのメールアドレスを読み出して、会員ＩＤを記載した電子メールをサーバ５に送信するように制御する制御信号を制御部２０４で生成する。
【００２９】
この制御信号が通信インターフェース２０１より携帯端末装置２に送信されると、携帯端末装置２によって、サーバ５のメールアドレス宛に会員ＩＤを記載した電子メールが生成されて、ネットワーク回線網８を通じてサーバ５に送信される。この電子メールを受信したサーバ５は、電子メールに記載された会員ＩＤと送信元となる携帯端末装置２のメールアドレスとを確認する。このように確認した会員ＩＤと携帯端末装置２のメールアドレスとを、会員ＩＤ用データベース６に送信して、会員ＩＤ用データベース６内に格納する。
【００３０】
そして、会員ＩＤ用データベース６に会員ＩＤと携帯端末装置２のメールアドレスとが格納されたことをサーバ５が確認すると、登録されたことを示す登録完了信号を生成して、ネットワーク回線網８を通じて携帯端末装置２に送信する。この登録完了信号は、携帯端末装置２で受信された後、非接触ＩＣタグ配布装置９に送信される。
【００３１】
この登録完了信号を通信インターフェース２０１で受信すると、制御部２０４によって搬送部２０３が制御されて、リーダ２０２から搬出口に非接触ＩＣタグ１が搬送される。その後、表示部２０３が制御されて、登録が完了したことを表示する。よって、この表示部２０３における登録完了の表示を入会希望者が確認すると、携帯端末装置２が通信インターフェース２０１との接続から外されるとともに、搬出口の非接触ＩＣタグ１が取り出される。
【００３２】
このように、本実施形態によると、非接触ＩＣタグ配布装置９に携帯端末装置２を接続して、非接触ＩＣタグ配布装置９より配布する非接触ＩＣタグ１に格納された会員ＩＤとサーバ５のメールアドレスを携帯端末装置２に与える。そして、非接触ＩＣタグ配布装置９によって、サーバ５に対して会員ＩＤが記載された電子メールを携帯端末装置２が送信するように制御され、この電子メールを受信したサーバ５によって登録動作が行われる。このとき、登録完了信号が携帯端末装置２を介して非接触ＩＣタグ配布装置９に送信されるものとしたが、非接触ＩＣタグ配布装置９がネットワーク回線網８と直接接続可能な通信インターフェースを備え、登録完了信号が非接触ＩＣタグ配布装置９に直接送信されるようにしても構わない。
【００３３】
＜第２の実施形態＞
本実施形態の非接触ＩＣタグの配布方法について、図面を参照して説明する。図５は、本実施形態における非接触ＩＣタグの配布装置の内部構成を示すブロック図である。図６は、本実施形態における非接触ＩＣタグの配布方法を説明するためのブロック図である。尚、図５及び図６において、図３及び図４と同一のブロックについては、同一の符号を付して、その詳細な説明は省略する。
【００３４】
図５の非接触ＩＣタグ配布装置９ａは、図３の非接触ＩＣタグ配布装置９にネットワーク回線網８と通信接続するための通信インターフェース２０８を付加した構成である。その他の構成については、図３の非接触ＩＣタグ配布装置９と同一である。
【００３５】
このような非接触ＩＣタグ配布装置９ａに対して、上述の情報配信システムへの入会希望者が、図６のように、携帯端末装置２の通信インターフェースを通信インターフェース２０１に接続する。そして、第１の実施形態と同様、制御部２０４において、この通信インターフェース２０１への接続が確認され、表示部２０６に非接触ＩＣタグ１の配布の可否が表示される。その後、非接触ＩＣタグ１の配布が要求されると、まず、制御部２０４によって通信インターフェース２０１が制御されて、携帯端末装置２に対して、携帯端末装置２に割り当てられたメールアドレスを送信するようにアドレス要求信号が送信される。
【００３６】
このアドレス要求信号を携帯端末装置２が受信すると、携帯端末装置２が記録している携帯端末装置２に割り当てられたメールアドレスを読み出して、非接触ＩＣタグ配布装置９ａに送信する。そして、通信インターフェース２０１でメールアドレスが受信されると、制御部２０４によって表示部２０６が制御されて、受信されたメールアドレスが表示されるとともに、入会するために登録するメールアドレスの確認表示が成される。
【００３７】
入力部２０７が操作されて、登録するメールアドレスが表示されたメールアドレスで登録することが入力されると、メモリ２０５に登録するメールアドレスが一時的に記録される。このとき、搬送部２０３によって非接触ＩＣタグ１がリーダ２０２に搬送され、非接触ＩＣタグ１が記録している会員ＩＤがリーダ２０２で受信されて、制御部２０４で確認される。制御部２０４では、会員ＩＤを確認すると、メモリ２０５より登録するメールアドレスを読み出して、この会員ＩＤ及びメールアドレスを通信インターフェース２０８からネットワーク回線網８を通じてサーバ５に送信する。
【００３８】
サーバ５が、非接触ＩＣタグ配布装置９ａから送信された会員ＩＤとメールアドレスとを確認すると、確認した会員ＩＤとメールアドレスとを会員ＩＤ用データベース６に送信する。そして、この会員ＩＤ及びメールアドレスが会員ＩＤ用データベース６内に格納されると、サーバ５で登録完了信号が生成されて、ネットワーク回線網８を通じて非接触ＩＣタグ配布装置９ａに送信される。
【００３９】
この登録完了信号を通信インターフェース２０８で受信すると、制御部２０４によって搬送部２０３が制御されて、リーダ２０２から搬出口に非接触ＩＣタグ１が搬送されるとともに、表示部２０６に登録が完了したことを表示する。よって、この表示部２０６における登録完了の表示を入会希望者が確認すると、携帯端末装置２が通信インターフェース２０１との接続から外されるとともに、搬出口の非接触ＩＣタグ１が取り出される。
【００４０】
このように、本実施形態によると、非接触ＩＣタグ配布装置９ａに携帯端末装置２を接続すると、非接触ＩＣタグ配布装置９ａが携帯端末装置２のメールアドレスを確認するとともに、非接触ＩＣタグ１に格納された会員ＩＤを確認する。そして、非接触ＩＣタグ配布装置９ａが、確認したメールアドレス及び会員ＩＤをサーバ５に送信する。このメールアドレス及び会員ＩＤを受信したサーバ５によって登録動作が行われる。このとき、登録完了信号が非接触ＩＣタグ配布装置９ａに直接送信されるものとしたが、第１の実施形態と同様、携帯端末装置２を通じて非接触ＩＣタグ配布装置９ａに送信されるものとし、携帯端末装置２のメールアドレスが有効か確認できるようにしても構わない。
【００４１】
尚、第１及び第２の実施形態において、非接触ＩＣタグ配布装置９，９ａに、リーダ２０２が備えられて、非接触ＩＣタグ１の会員ＩＤが確認されるようにしたが、このリーダ２０２の変わりにライタを設けて、制御部２０４で生成した会員ＩＤをライタによって非接触ＩＣタグ１に与えて、非接触ＩＣタグ１内のメモリ１０５に格納させるようにしても構わない。このとき、非接触ＩＣタグ１が配布されるたびに、会員ＩＤがライタに生成される。更に、この生成した会員ＩＤをメモリ２０５に格納し、次に生成される会員ＩＤがメモリ２０５に格納された会員ＩＤに基づいて生成されるようにしても構わない。
【００４２】
又、非接触ＩＣタグ配布装置９，９ａ内に配布する非接触ＩＣタグ１を貯蔵する際に、予め、貯蔵される非接触ＩＣタグ１それぞれの会員ＩＤをメモリ２０５に記録させ、配布する度に制御部２０４によってメモリ２０５より読み出すようにしても構わない。
【００４３】
＜第３の実施形態＞
本実施形態の非接触ＩＣタグの配布方法について、図面を参照して説明する。図７は、本実施形態における非接触ＩＣタグの配布方法を説明するためのブロック図である。尚、図７において、図４と同一のブロックについては、同一の符号を付して、その詳細な説明は省略する。
【００４４】
本実施形態では、図７のように、第１の実施形態（図４）と異なり、非接触ＩＣタグ配布装置９の代わりに、上述の情報配信システムへの入会用手続装置１０が用いられて、登録動作が行われる。図７において利用される入会用手続装置１０の構成は、図８のように、搬送部２０３（図３）が省略された構成であること以外、第１の実施形態における非接触ＩＣタグ配布装置９と同一となるため、その詳細な説明は省略する。
【００４５】
このとき、例えば、イベント会場などにおいて、会場への来訪者に対して非接触ＩＣタグ１が無作為に配布される。そして、この非接触ＩＣタグ１を配布された来訪者のうち、上述の情報配信システムへの入会希望者が入会用手続装置１０を用いて上述の情報配信システムへの入会手続を行い、登録動作が行われる。このとき、まず、入会希望者は、入力部２０７を操作して入会することを入会用手続装置１０に認識させる。
【００４６】
そして、表示部２０６によってガイドが表示され、まず、非接触ＩＣタグ１をリーダ２０２に近接させることで、非接触ＩＣタグ１内に格納された会員ＩＤがリーダ２０２によって読み出されるように指示する。このとき、リーダ２０２によって会員ＩＤが読み出されると、制御部２０４によって確認され、メモリ２０５に一時的に格納される。
【００４７】
この会員ＩＤがメモリ２０５に格納されると、表示部２０６によって通信インターフェース２０１に携帯端末装置２を接続する指示が表示される。このとき、携帯端末装置２が通信インターフェース２０１に接続されると、携帯端末装置２の接続が制御部２０４で確認されるため、メモリ２０５に格納された会員ＩＤとサーバ５のメールアドレスとが制御部２０４によって読み出される。そして、会員ＩＤが記載された電子メールをサーバ５のメールアドレス宛に送信するための制御信号が制御部２０４で生成されて、通信インターフェース２０１より携帯端末装置２に送信される。
【００４８】
この制御信号が通信インターフェース２０１より携帯端末装置２に送信されると、携帯端末装置２によって、サーバ５への会員ＩＤを記載した電子メールが生成されてサーバ５に送信される。そして、サーバ５は、電子メールに記載された会員ＩＤと送信元となる携帯端末装置２のメールアドレスとを確認すると、会員ＩＤ用データベース６に送信して、会員ＩＤ用データベース６内に格納する。その後、会員ＩＤ用データベース６に会員ＩＤと携帯端末装置２のメールアドレスとが格納されたことをサーバ５が確認すると、登録完了信号を携帯端末装置２に送信する。この登録完了信号は、携帯端末装置２で受信された後、入会用手続装置１０に送信される。
【００４９】
この登録完了信号を通信インターフェース２０１で受信すると、表示部２０６に登録が完了したことが表示される。よって、この表示部２０６における登録完了の表示を入会希望者が確認すると、携帯端末装置２が通信インターフェース２０１との接続から外される。
【００５０】
このように、本実施形態によると、入会用手続装置１０において、携帯端末装置２に付随させた非接触ＩＣタグ１に格納された会員ＩＤをリーダ２０２によって読み出す。そして、入会用手続装置１０に携帯端末装置２を接続して、非接触ＩＣタグ１より読み出された会員ＩＤとサーバ５のメールアドレスを携帯端末装置２に与える。このとき、入会用手続装置１０によって、サーバ５に対して会員ＩＤが記載された電子メールを携帯端末装置２が送信するように制御され、この電子メールを受信したサーバ５によって登録動作が行われる。このとき、登録完了信号が携帯端末装置２を介して入会用手続装置１０に送信されるものとしたが、入会用手続装置１０がネットワーク回線網８と直接接続可能な通信インターフェースを備え、登録完了信号が入会用手続装置１０に直接送信されるようにしても構わない。
【００５１】
＜第４の実施形態＞
本実施形態の非接触ＩＣタグの配布方法について、図面を参照して説明する。図９は、本実施形態における非接触ＩＣタグの配布方法を説明するためのブロック図である。尚、図９において、図６と同一のブロックについては、同一の符号を付して、その詳細な説明は省略する。
【００５２】
本実施形態では、図９のように、第２の実施形態（図６）と異なり、非接触ＩＣタグ配布装置９ａの代わりに、上述の情報配信システムへの入会用手続装置１０ａが用いられて、登録動作が行われる。図９において利用される入会用手続装置１０ａの構成は、図１０のように、搬送部２０３（図５）が省略された構成であること以外、第２の実施形態における非接触ＩＣタグ配布装置９ａと同一となるため、その詳細な説明は省略する。
【００５３】
このとき、第３の実施形態と同様、例えば、イベント会場などにおいて、会場への来訪者に対して非接触ＩＣタグ１が無作為に配布され、上述の情報配信システムへの入会希望者が入会用手続装置１０ａを用いて上述の情報配信システムへの入会手続を行う。このとき、まず、入会希望者は、入力部２０７を操作して入会することを入会用手続装置１０ａに認識させる。
【００５４】
そして、まず、非接触ＩＣタグ１がリーダ２０２に近接されて、会員ＩＤが読み出されると、制御部２０４によって確認され、メモリ２０５に一時的に格納される。その後、携帯端末装置２が通信インターフェース２０１に接続されて、制御部２０４で携帯端末装置２の接続が確認されると、携帯端末装置２に割り当てられたメールアドレスを要求するアドレス要求信号を生成し、通信インターフェース２０１より携帯端末装置２に送信する。
【００５５】
アドレス要求信号を受信した携帯端末装置２は、携帯端末装置２に割り当てられたメールアドレスを読み出して、入会手続装置１０ａに送信する。通信インターフェース２０１でメールアドレスが受信されると、メモリ２０５に格納された会員ＩＤが制御部２０４によって読み出され、通信インターフェース２０８よりサーバ５に対して携帯端末装置２に割り当てられたメールアドレス及び会員ＩＤが送信される。
【００５６】
サーバ５が、入会手続装置１０ａから送信された会員ＩＤとメールアドレスとを確認すると、会員ＩＤ用データベース６に送信する。そして、この会員ＩＤ及びメールアドレスが会員ＩＤ用データベース６内に格納されると、サーバ５より登録完了信号が入会手続装置１０ａに送信される。この登録完了信号を通信インターフェース２０８で受信すると、表示部２０６に登録が完了したことを表示する。よって、この表示部２０６における登録完了の表示を入会希望者が確認すると、携帯端末装置２が通信インターフェース２０１との接続から外される。
【００５７】
このように、本実施形態によると、入会用手続装置１０ａにおいて、携帯端末装置２に付随させた非接触ＩＣタグ１に格納された会員ＩＤを読み出す。そして、入会用手続装置１０ａに携帯端末装置２を接続して、入会用手続装置１０ａが携帯端末装置２のメールアドレスを確認する。そして、入会用手続装置１０ａが、確認したメールアドレス及び会員ＩＤをサーバ５に送信する。このメールアドレス及び会員ＩＤを受信したサーバ５によって登録動作が行われる。このとき、登録完了信号が入会用手続装置１０ａに直接送信されるものとしたが、第３の実施形態と同様、携帯端末装置２を通じて入会用手続装置１０ａに送信されるものとし、携帯端末装置２のメールアドレスが有効か確認できるようにしても構わない。
【００５８】
＜第５の実施形態＞
本実施形態の非接触ＩＣタグの配布方法について、図面を参照して説明する。図１１は、本実施形態における入会手続を行う際の携帯端末装置の動作を示すフローチャートである。
【００５９】
本実施形態では、携帯端末装置２に対して、必ず、非接触ＩＣタグ１が付随されている。即ち、例えば、携帯端末装置２が購入されるとき、非接触ＩＣタグ１が付属品として必然的に提供される。このように、携帯端末装置２に非接触ＩＣタグ１を必然的に付随させるとき、携帯端末装置２内に、非接触ＩＣタグ１の会員ＩＤが格納されている。又、この携帯端末装置２には、上述の情報配信システムへの入会を行うための登録機能が備えられているとともに、情報配信システムへ入会するために通信を行うサーバ５のメールアドレスが格納されている。
【００６０】
このような携帯端末装置２における上述の登録機能が操作されたとき、まず、メールアドレスが設定されているか否かが確認される（ＳＴＥＰ１）。メールアドレスが設定されていないとき（Ｎｏ）、メールアドレスが入力されるとともにメールサーバと通信が行われて、入力されたメールアドレスが登録される（ＳＴＥＰ２）。
【００６１】
このとき、携帯端末装置２にメールアドレスに入力されると、入力されたメールアドレスがメールサーバに送信される。そして、メールサーバにおいて、受信したメールアドレスが既に登録されているか否か確認され、登録されていない場合、新たに登録される。このようにメールサーバにメールアドレスが登録されると、登録を完了したことを示す信号が携帯端末装置２に送信される。
【００６２】
このようにＳＴＥＰ２でメールアドレスが登録されたとき、又は、ＳＴＥＰ１で既にメールアドレスが登録されていることが確認されたとき（Ｙｅｓ）、携帯端末装置２は、格納している非接触ＩＣタグ１の会員ＩＤとサーバ５のメールアドレスを読み出す（ＳＴＥＰ３）。そして、会員ＩＤを記載して電子メールを作成し、サーバ５のメールアドレスを宛先とすることで、作成した電子メールをサーバ５に送信する（ＳＴＥＰ４）。
【００６３】
会員ＩＤが記載された電子メールを受信したサーバ５は、電子メールに記載された会員ＩＤを確認するとともに、送信元となる携帯端末装置２のメールアドレスが確認される。そして、サーバ５は、確認した非接触ＩＣタグ１の会員ＩＤと携帯端末装置２のメールアドレスとを会員ＩＤ用データベース６に送信する。非接触ＩＣタグ１の会員ＩＤ及び携帯端末装置２のメールアドレスが会員ＩＤ用データベース６に格納されると、登録完了信号がサーバ５より携帯端末装置２に送信され、携帯端末装置２において登録完了が確認される（ＳＴＥＰ５）。
【００６４】
このように、本実施形態によると、例えば、携帯端末装置２が購入されると、必然的に非接触ＩＣタグ１が付属されるが、この携帯端末装置２の購買者のうち、上述の情報配信システムに入会を希望する者のみが、携帯端末装置２を利用して容易に入会することができる。
【図面の簡単な説明】
【００６５】
【図１】非接触ＩＣタグの構成を示す図。
【図２】非接触ＩＣタグを利用した情報配信システムの構成を示すブロック図。
【図３】第１の実施形態における非接触ＩＣタグ配布装置の内部構成を示すブロック図。
【図４】第１の実施形態における非接触ＩＣタグの配布方法を説明するためのブロック図。
【図５】第２の実施形態における非接触ＩＣタグ配布装置の内部構成を示すブロック図。
【図６】第２の実施形態における非接触ＩＣタグの配布方法を説明するためのブロック図。
【図７】第３の実施形態における非接触ＩＣタグの配布方法を説明するためのブロック図。
【図８】第３の実施形態における入会用手続装置の内部構成を示すブロック図。
【図９】第４の実施形態における非接触ＩＣタグの配布方法を説明するためのブロック図。
【図１０】第４の実施形態における入会用手続装置の内部構成を示すブロック図。
【図１１】第５の実施形態における非接触ＩＣタグの配布方法を説明するためのフローチャート。
【符号の説明】
【００６６】
１    非接触ＩＣタグ
２    携帯端末装置
３    リーダ
４    端末装置
５    サーバ
６    会員ＩＤ用データベース
７    端末ＩＤ用データベース
８    ネットワーク回線網
９，９ａ    非接触ＩＣタグ配布装置
１０，１０ａ    入会用手続装置
【図１】
2008251019.tif 000003
【図２】
2008251019.tif 000004
【図３】
2008251019.tif 000005
【図４】
2008251019.tif 000006
【図５】
2008251019.tif 000007
【図６】
2008251019.tif 000008
【図７】
2008251019.tif 000009
【図８】
2008251019.tif 000010
【図９】
2008251019.tif 000011
【図１０】
2008251019.tif 000012
【図１１】
2008251019.tif 000013